(57)【要約】【課題】発電用回転装置として、水中または海中に沈めたハウジング内で空気浮力の水中空洞化を図り、空洞内落水の落水圧を利用して回転する羽根車装置の実現である。【解決手段】水中にハウジングを設置し、ハウジング内を空気吐出の浮力で空洞化し、上部に吐水口を設け、ハウジング内部の空洞にハウジング外の水または海水を吐き出し滝状に落水させ、落水圧で発電機の羽根車を回転させ発電させた。  また水中以外の地上および地下でも当該装置を設置できるように水中および海中の代わりとして利用水循環経路を設置しこの課題を解決した。【選択図】図５
2012255427.tif 000002
【特許請求の範囲】
【請求項１】
水中空洞化ハウジング装置。
【請求項２】
水中空洞化ハウジングに空気吐出口を設置した装置。
【請求項３】
水中空洞化ハウジングに空気吐出口と落水吐出口を設置した装置。
【請求項４】
水中空洞化ハウジングに空気吐出口と落水噴水口を設置した装置。
【請求項５】
水中空洞化ハウジングに吐水口または落水噴水口からの落水をうけて回転する発電用羽根車を設置した装置。
【請求項６】
水中空洞化ハウジングに利用水循環経路を設置した装置。
【請求項７】
水中空洞化ハウジングに落水時浮力空気保存板を設置した装置。
【請求項８】
水中空洞化ハウジングの循環利用水の代わりに比重の高い水銀利用の装置。
【発明の詳細な説明】
【技術分野】
【０００１】  本発明は、発電装置に関する利用分野である。
【背景技術】
【０００２】  従来の発電装置に関する回転技術において、水中で浮力を利用し空間をつくり、上部からの落水で羽根車を回転させる装置はなかった。【０００３】  従来の発電装置を回転させる羽根車装置の技術は、ダムの水圧力、燃焼ガスの爆発力、沸騰水の蒸気圧力、風の流れによる風力を利用したものであり水中における浮力空間の落水を現実として利用したものはなかった。
【発明の概要】
【発明が解決しようとする課題】
【０００４】  発電の回転装置として、水中または海中のハウジングの中に空気を送り込み浮力による水中空洞化を図り、その中で落水させることにより落水圧で回転する羽根車装置の実現である。
【課題を解決するための手段】
【０００５】  この発明では上記課題を解決するために、水中にハウジングを設置し、下側に空気吐出口を設置した。【００６】  下側の空気吐出口から空気を吐出し、上昇する空気の浮力でハウジング内に空間ができるよにした。【００７】  浮力によりつくられた空間でハウジング外の水または海水等を落水できるように、上部に落水吐水口を設置した。【００８】  吐水口から落水しやすいように送水羽根車等を設置した。【００９】  落水を受けやすいように落水受けを設置した。【００１０】  落水を受け回転する羽根車を設置し発電機の回転動力源とした。【００１１】  また水中以外の地上および地下でも当該装置を設置できるように水中および海中の代わりとして利用水循環経路を設置した。
【発明の効果】
【００１２】  水中または海中のハウジングの中に空気を送り込み水中空洞化を図ると、空洞化内の水面としての第二水面はハウジング内の空気が抜けない限りその中に水または海水を注入してもその高さを維持しようとする効果がある。【００１３】  そこでハウジング上部に設けた吐水口から圧力をかけた水または海水を空洞化したハウジング内に吐き出し落水させると、ハウジング内の空洞は空洞化内の水面を維持しながら残り、落水状態を維持しようとする効果がある。【００１４】  さらに落水位置に羽根車を設置し落水させると羽根車が回転し、落水高を高くするほど落水圧が高く羽根車の回転も高くなり発電機の動力源としての効果も高くなる。【００１５】  たとえばハウジング直径５ｍ、海水吐出口２ｍ、落水高１００ｍの装置を考慮すると小規模ダムの効果を得ることができる。【００１６】  また利用水循環経路を設置する事で海や湖以外の地上および地下あるいは狭小地でも当該装置が設置できるようになるとともに、地上に出した場合には発電機を下方に付けたり、利用水循環経路を装置の内側、外周側およびコーナー側へ付けることができる等構造の自在性が高まった。【００１７】  さらに発生電源で空気吐出と落水吐出をおこなえば燃料のかからない発電となり、間便な構造においては大幅な建設費低減となり、大幅な燃料消費低減により二酸化炭素低減を通じて地球温暖化対策へもつながる。
【図面の簡単な説明】
【００１８】
【図１】  一実施例で、斜線の部分は装置の中心を通る垂直断面図。
【図２】  一実施例で、斜線の部分は装置の中心を通る垂直断面図。
【図３】  一実施例で、斜線の部分は装置の中心を通る垂直断面図。
【図４】  一実施例で、斜線の部分は装置の中心を通る垂直断面図。
【図５】  一実施例で、斜線の部分は装置の中心を通る垂直断面図。
【符号の説明】
【００１９】  符号は各図共通で、
１＝羽根車                  ２＝回転軸
３＝側板                    ４＝空気吐出口
５＝空気吐出口              ６＝発電機
７＝発電機回転軸            ８＝水中空洞化ハウジング
９＝水流調整口            １０＝弁・逆止弁
１１＝利用水循環経路        １２＝整流板
１３＝落水吐出羽根車ポンプ  １４＝浮力第二水面
１５＝落水取水口            １６＝落水吐出口
１７＝落水受け              １８＝噴水口
１９＝落水時浮力空気保存板
【発明を実施するための最良の形態】
【００２０】  この発明を実施するための最良の形態は、図面のように水中または海中にハウジングを沈め内部に空気を吐き出し空洞をつくり、上部から水または海水を吐き出し滝状に落水させ、落水圧で発電機の羽根車を回し発電することである。【００２１】  次に設置場所を考慮し、当該装置の利用水を循環させるための利用水循環経路を設けることで地上および地下あるいは狭小地に設置することである。
【産業上の利用可能性】
【００２２】  本発明は空気の浮力でできた水中空洞の利用であり、浮力を受けるハウジングと空気吐き出し用のエアーコンプレッサーおよび水または海水吐き出し用のポンプがあれば発電用の羽根車回転の動力源として利用ができ、現状の発電施設に比べ建設費の安価な発電用動力として利用ができる。【００２３】  落水高を垂直方向に高くする事で落水圧を加算的に上げることができ水平方向への設置範囲を狭めることができ、現状の発電施設に比べ広範囲な建設の必要がなく狭いところでの当該装置の利用ができる。【００２４】  利用水循環経路を設置する事で地上および地下でも当該装置の設置利用ができる。【００２５】  火力発電用の消費燃料に比べてエアーコンプレッサーと上部の水または海水の吐き出しポンプの回転用燃料消費で済み、さらに発生電源で空気吐出と落水吐出をおこなえば燃料のかからない発電となり、間便な構造においては大幅な建設費低減となり、、二酸化炭素低減を通じて地球温暖化対策への利用につながるなど産業上の利用性が高くなる。
【図１】
2012255427.tif 000003
【図２】
2012255427.tif 000004
【図３】
2012255427.tif 000005
【図４】
2012255427.tif 000006
【図５】
2012255427.tif 000007
【手続補正書】
【提出日】平成23年7月30日(2011.7.30)
【手続補正１】
【補正対象書類名】明細書
【補正対象項目名】００１０
【補正方法】変更
【補正の内容】
【００１０】  また利用水循環経路を設置する事で海や湖以外の地上および地下あるいは狭小地でも当該装置が設置できるようになるとともに、地上に出した場合には発電機を下方に付けたり、利用水循環経路を装置の内側、外周側およびコーナー側へ付けることができる等構造の自在性が高まり、特に上部を海水面下、下部をその下の地中に埋設すると装置の浮上防止と装置外部からの取水が容易に行われ、取水範囲が広いほど取水水移動慣性圧を落水圧に変え、落水圧をさらに羽根車の回転力へ加えることができる。